(57)【要約】【課題】部品点数を増大させることなく、少ない部品点数で、光漏れを防止することができるメータ照明構造を提供する。【解決手段】前面１２ａに開口部１５ａ等を有すると共に、緑色ＬＥＤ１３ａ等を個別に収納する方向指示表示ランプハウジング１５等を、隣接させて複数設けたロアケース１２の各開口部１５ａ等に対応させて設けられて、緑色ＬＥＤ１３ａ等からの照明光を一部透過させる透過スリット１９ａ等が形成された方向指示表示部１９等が設けられた文字板１８とを有するメータ照明構造である。文字板１８の前記方向指示表示部１９等を前記開口部１５ａからランプハウジング１５内側に向けて凹設した凹部１９ｂが形成されている。【選択図】  図１
2004325243.tif 000002
【特許請求の範囲】
【請求項１】
前面に開口部を有すると共に、光源を個別に収納するランプハウジングを、隣接させて複数設けたロアケースと、該ロアケースの前記各開口部に対応させて設けられて、前記光源からの照明光を一部透過させる透過スリットを形成した個別表示部を設けた文字板とを有するメータ照明構造であって、
前記文字板の前記個別表示部を前記開口部からランプハウジング内側に向けて凹設したことを特徴とするメータ照明構造。
【請求項２】
前記文字板の前記個別表示部の凹設は、該文字板の絞り加工によって形成されていることを特徴とする請求項１記載のメータ照明構造。
【発明の詳細な説明】
【０００１】
【発明の属する技術分野】
この発明は、車両用のメータ装置等に設けられるメータ照明構造に関し、特に、隣接する警告表示間での光漏れを防止できるメータ照明構造に関する。
【０００２】
【従来の技術】
従来、図４又は図５に示すような自動車等の車両に搭載されるメータ照明構造が知られている（例えば、特許文献１参照）。
【０００３】
まず、構成から説明すると、この従来のメータ照明構造では、スピードメータ２及びタコメータ３等が、１つのハウジング４に収納されてコンビネーションメータ１が構成されている。
【０００４】
このコンビネーションメータ１では、ロアケース５の一部が、ウォーニングランプユニット５ａとして着脱可能となるように構成されている。
【０００５】
このウォーニングランプユニット５ａには、前面に開口部５ｂ…を各々形成する角筒状のランプハウジング５ｃ…が、隣接されて複数設けられている。
【０００６】
これらのランプハウジング５ｃ…には、各々光源としてのランプ６…が、個別に収納されている。
【０００７】
そして、このハウジング４の前面開口には、前記ランプハウジング５ｃ…の開口部５ｂ…周縁に当接して覆う文字板７が装着されている。
【０００８】
この文字板７には、各種警告の個別表示を行う個別表示部として、各種ウォーニングランプ表示部７ａ，７ｂ，７ｃ…が、形成されている。
【０００９】
このウォーニングランプ表示部７ａ等は、前記ランプ６からの照明光を、少なくとも一部透過させる透過スリットによって、図形又は文字等の警告マークの形状が、描画されることにより構成されている。
【００１０】
次に、この従来のメータ照明構造の作用について説明する。
【００１１】
このように構成された図４及び図５に示す従来のメータ照明構造では、前記ランプ６が、警告の必要に応じて個別に点灯されると、前記文字板７のウォーニングランプ表示部７ａ…の透過スリットを介して、前記ランプ６の照明光が、図形又は文字等の警告マークの形状で透過されて、乗員室側から視認される。
【００１２】
【特許文献１】
特開平８−２８２３３４号公報（図１乃至図３、
【００１２】乃至
【００２９】段落）
【００１３】
【発明が解決しようとする課題】
しかしながら、前記図４及び図５に示すような従来のメータ照明構造では、図６に示すように、ランプハウジング５ｃの開口部５ｂの周縁部５ｄと、前記文字板７の裏面７ｅとの間に、間隙が生じると、隣接する他のランプハウジング５ｃに向けて光漏れが発生する虞があった。
【００１４】
特に、方向指示器用の表示部のランプハウジング５ｃと、警告用の表示部のランプハウジング５ｃとが隣接して配置されるレイアウトを採用する場合等、隣接配置されるランプハウジング５ｃ，５ｃ内に収納されるランプ６，６の色彩が、異なる場合があり（例えば、黄色と赤色）、認識しづらくなるといった問題があった。
【００１５】
このため、前記周縁部５ｄと、前記文字板７の裏面７ｅとの間に、両面接着テープを介在させて密着させることにより、隙間の発生を防止することも考えられるが、両面接着テープ分の部品点数が増大すると共に、製造工程数も増大してしまい製造コストが上昇してしまうといった問題もあった。
【００１６】
そこで、本発明の目的は、部品点数を増大させることなく、少ない部品点数で、光漏れを防止することができるメータ照明構造を提供することにある。
【００１７】
【課題を解決するための手段】
本発明は、かかる問題点に着目してなされたもので、請求項１に係る発明では、前面に開口部を有すると共に、光源を個別に収納するランプハウジングを、隣接させて複数設けたロアケースと、該ロアケースの前記各開口部に対応させて設けられて、前記光源からの照明光を一部透過させる透過スリットを形成した個別表示部を設けた文字板とを有するメータ照明構造であって、前記文字板の前記個別表示部を前記開口部からランプハウジング内側に向けて凹設したメータ照明構造を特徴としている。
【００１８】
このように構成された請求項１記載のものでは、前記文字板の前記個別表示部が、前記開口部からランプハウジング内側に向けて凹設されているので、該文字板は、該ランプハウジング内で前記開口部周縁と、該開口部内外方向で重複する。
【００１９】
このため、隣接配置された他のランプハウジング内に、光源からの照明光が光漏れする虞がない。
【００２０】
また、従来のように、両面接着テープを用いなくても、前記凹設された文字板の表示部が、前記開口部周縁と、該開口部内外方向で重複を維持している限り、光漏れの虞がない。
【００２１】
このため、部品点数を増大させることなく、少ない部品点数で、光漏れを防止することが出来、製造コストの増大が抑制される。
【００２２】
また、請求項２に記載されたものでは、前記文字板の前記個別表示部の凹設は、該文字板の絞り加工によって形成されている請求項１記載のメータ照明構造を特徴としている。
【００２３】
このように構成された請求項２記載のものでは、前記文字板の前記個別表示部の凹設を、該文字板の他の絞り加工と共に同時に形成することによって、更に、製造コストの増大を抑制できる。
【００２４】
【発明の実施の形態１】
図１乃至図３は、この発明の実施の形態１のメータ照明構造を示すものである。
【００２５】
なお、前記従来例と同一乃至均等な部分については、同一符号を付して説明する。
【００２６】
まず、構成から説明すると、この実施の形態１のメータ照明構造では、スピードメータ２及びタコメータ３等が、１つのハウジング４に収納されて車両用メータとしてのコンビネーションメータ１１が構成されている。
【００２７】
このコンビネーションメータ１１には、前記ハウジング４内に収納されると共に、光源としてのＬＥＤ１３ａ…を収納するランプハウジング部１４…等が、前記スピードメータ２及びタコメータ３の周囲に形成されたロアケース１２に設けられている。
【００２８】
この実施の形態１では、図１に示すように、前記ロアケース１２のタコメータ３が配設される部分の側縁に沿って、前面１２ａに開口部１５ａを有すると共に、光源としての緑色ＬＥＤ１３ａを収納する方向指示表示ランプハウジング１５と、前記前面１２ａに開口部１６ａを有すると共に、光源としての黄色ＬＥＤ１３ｂを収納するＰＳ警告灯ランプハウジング１６と、前記前面１２ａに開口部１７ａを有すると共に、光源としての赤色ＬＥＤ１３ｃを収納するバッテリ警告表示ランプハウジング１７等とが、隣接されて複数設けられている。
【００２９】
このうち、前記方向指示表示ランプハウジング１５は、円筒状を呈して、前記ロアケース１２の裏面側に近接する位置まで延設されて、底面部１５ｂに前記緑色ＬＥＤ１３ａが固定されるように構成されている。
【００３０】
また、前記ＰＳ警告灯ランプハウジング１６及びバッテリ警告表示ランプハウジング１７は、略四角筒状を呈して、前記ロアケース１２の裏面側に近接する位置まで延設されて、底面部１６ｂ，１７ｂに前記黄色ＬＥＤ１３ｂ，赤色１３ｃが、各々固定されるように構成されている。
【００３１】
そして、これらの各開口部１５ａ，１６ａ，１７ａには、各周縁部に当接して、このランプハウジング部１４を覆うように、文字板１８が装着されている。
【００３２】
この文字板１８には、各種警告の個別表示を行う個別表示部として、方向指示表示部１９，ＰＳ警告表示部２０，バッテリ警告表示部２１が、前記各開口部１５ａ，１６ａ，１７ａの位置に合わせて設けられている。
【００３３】
これらの各種警告表示部１９，２０，２１には、前記緑色ＬＥＤ１３ａ、黄色ＬＥＤ１３ｂ，又は赤色１３ｃからの照明光を、少なくとも一部透過させる透過スリット１９ａ，２０ａ，２１ａが設けられていて、これらの透過スリット１９ａ，２０ａ，２１ａによって、図形又は文字等の警告マークの形状が、描画されている。
【００３４】
そして、これらの各種警告表示部１９，２０，２１には、前記各開口部１５ａ，１６ａ，１７ａの周縁形状と略同形状の輪郭を有する凹部１９ｂ，２０ｂ，２１ｂが、前記開口部１５ａ，１６ａ，１７ａから、各ランプハウジング１５，１６，１７内側に向けて凹設されていて、図３に示すように、前記ロアケース１２の前面に、この文字板１８が装着された状態で、一定深さａ、前記各ランプハウジング１５，１６，１７内で前記開口部１５ａ，１６ａ，１７ａ周縁と、開口部内外方向Ｌで重複するようにいわゆるインロー構造を呈するように構成されている。
【００３５】
次に、この実施の形態１の作用について説明する。
【００３６】
この実施の形態１では、前記文字板１８の前記各種警告表示部１９，２０，２１の凹部１９ｂ，２０ｂ，２１ｂは、この文字板１８の他の部分としてのダイヤルゲージ周縁の凹部絞り加工と共に、同時に絞り加工されることによって形成されている。
【００３７】
このように、前記文字板１８の前記個別表示部の凹設を行う絞り加工が、この文字板１８の他の部分の絞り加工と共に同時に絞り加工することによって行えるので、更に、製造コストの増大を抑制できる。
【００３８】
また、前記文字板１８が、前記ハウジング４内に収納されたロアケース１２の前面に装着されると、図３に示すように、前記文字板１８の前記各個別表示部１９，２０，２１の凹部１９ｂ，２０ｂ，２１ｂが、前記開口部１５ａ，１６ａ，１７ａから各種ランプハウジング１５，１６，１７内側に向けて凹設されているので、これらの文字板１８の凹部１９ｂ，２０ｂ，２１ｂが、このランプハウジング１５，１６，１７内で前記開口部１５ａ，１６ａ，１７ａ周縁と、これらの開口部１５ａ，１６ａ，１７ａ内外方向で、一定深さａ、重複される。
【００３９】
このため、例えば、前記ランプハウジング１５内の緑色ＬＥＤ１３ａの照明光が、隣接配置された他のランプハウジング１６内に、光漏れする虞がない。
【００４０】
また、前記ランプハウジング１６内の黄色ＬＥＤ１３ｂの照明光が、隣接配置された他のランプハウジング１５，又は１７内に、光漏れする虞がない。
【００４１】
更に、前記ランプハウジング１７内の赤色ＬＥＤ１３ｃの照明光が、隣接配置された他のランプハウジング１６内に、光漏れする虞がない。
【００４２】
従って、従来のように、両面接着テープを用いなくても、前記凹設された文字板１８の各個別表示部１９，２０，２１が、前記開口部１５ａ，１６ａ，１７ａ周縁と、これらの開口部１５ａ，１６ａ，１７ａの内外方向Ｌで、重複が維持されている限り、光漏れの虞がない。
【００４３】
このため、例え、前記開口部１５ａ，１６ａ，１７ａ周縁が、前記文字板１８の裏面１８ａと、当接せずに離間していても、一定深さａがａ＝０となるまでは、重複が維持されている限り、光漏れせず、部品装着の位置精度を高精度に必要としない。
【００４４】
また、両面接着テープが不要となる分、部品点数を増大させることなく、少ない部品点数で、しかも、組立工程を減少させつつ、光漏れを防止することが出来、製造コストの増大が抑制される。
【００４５】
以上、図面を参照して、本発明の実施の形態１のメータ照明構造を詳述してきたが、具体的な構成は、この実施の形態１に限らず、本発明の要旨を逸脱しない程度の設計的変更は、本発明に含まれる。
【００４６】
例えば、前記実施の形態１では、隣接配置される方向指示表示部１９，ＰＳ警告表示部２０，バッテリ警告表示部２１を例示して説明してきたが、特にこれに限らず、オイルプレッシャ警告表示、タイヤ空気圧警告表示、水温上昇警告表示、ＡＢＳ作動表示等、どのような表示であっても、ロアケース１２に隣接させて複数のランプハウジングを設けるものであるならばよい。
【００４７】
【発明の効果】
上述してきたように、請求項１記載のものでは、前記文字板の前記個別表示部が、前記開口部からランプハウジング内側に向けて凹設されているので、該文字板は、該ランプハウジング内で前記開口部周縁と、該開口部内外方向で重複する。
【００４８】
このため、隣接配置された他のランプハウジング内に、光源からの照明光が光漏れする虞がない。
【００４９】
また、従来のように、両面接着テープを用いなくても、前記凹設された文字板の表示部が、前記開口部周縁と、該開口部内外方向で重複を維持している限り、光漏れの虞がない。
【００５０】
このため、部品点数を増大させることなく、少ない部品点数で、光漏れを防止することが出来、製造コストの増大が抑制される。
【００５１】
また、請求項２に記載されたものでは、前記文字板の前記個別表示部の凹設を、該文字板の他の絞り加工と共に同時に形成することによって、更に、製造コストの増大を抑制できる、という実用上有益な効果を発揮する。
【図面の簡単な説明】
【図１】本発明の実施の形態１のメータ照明構造を示し、要部の分解斜視図である。
【図２】実施の形態１のメータ照明構造を示し、個別表示部周辺のコンビネーションメータの正面図である。
【図３】実施の形態１のメータ照明構造で、図２中Ａ−Ａ線に沿った位置での要部の断面図である。
【図４】従来例のメータ照明構造で、コンビネーションメータの分解斜視図である。
【図５】従来例のメータ照明構造で、コンビネーションメータの正面図である。
【図６】従来例のメータ照明構造で、図４中Ｂ−Ｂ線に沿った位置での断面図である。
【符号の説明】
１１                コンビネーションメータ
１２                ロアケース
１２ａ              前面
光源
１３ａ              緑色ＬＥＤ
１３ｂ              黄色ＬＥＤ
１３ｃ              赤色ＬＥＤ
１４                ランプハウジング部
１５                方向指示表示ランプハウジング
１６                ＰＳ警告灯ランプハウジング
１７                バッテリ警告表示ランプハウジング
１５ａ，１６ａ，１７ａ開口部
１８                文字板
個別表示部
１９              方向指示表示部
２０              ＰＳ警告表示部
２１              バッテリ警告表示部
１９ａ，２０ａ，２１ａ透過スリット
１９ｂ，２０ｂ，２１ｂ凹部
【図１】
2004325243.tif 000003
【図２】
2004325243.tif 000004
【図３】
2004325243.tif 000005
【図４】
2004325243.tif 000006
【図５】
2004325243.tif 000007
【図６】
2004325243.tif 000008